(57)【要約】      （修正有）【課題】配光制御部を容易に取り付けられるようにして、施工性を向上させる照明装置を提供する。【解決手段】照明装置１において、照明器具２００に光源ユニット１００が配設され、この光源ユニット１００を覆うよう照明器具２００に配光制御部１０００が取り付けられる。配光制御部１０００は、器具本体と係合してない状態から照明器具２００に押し込まれることで照明器具２００に固定され、施工性を向上できる。【選択図】図２
2019175572.tif 000002
【特許請求の範囲】
【請求項１】
発光部を覆うカバーを備えた光源ユニットと、
前記光源ユニットが取り付けられる器具本体と、
前記カバーと交差するように設けられた制御片、前記制御片が取り付けられる枠部を有し、前記器具本体に取り付けられる配光制御部と、
を備え、
前記配光制御部は、
前記器具本体と係合してない状態から、前記器具本体側へ押し込むことで前記器具本体に固定されることを特徴とする照明装置。
【請求項２】
前記配光制御部材は、
前記枠部から前記器具本体に向かって立設する固定部を有することを特徴とする請求項１に記載の照明装置。
【請求項３】
前記器具本体は、前記枠部と対向する面に前記固定部が係合する固定孔が設けられたことを特徴とする請求項２に記載の照明装置。
【請求項４】
前記カバーは、
前記発光部と対向するカバー正面部と、
前記発光部の側方に設けられたカバー側面部と、を備え、
前記制御片は、
前記カバー正面部と対向するように設けられた第一制御片と、
前記カバー側面部と対向するように設けられた第二制御片と、を備え、
前記枠部は、前記第二制御片の前記第一制御片側とは反対側の端部に接続していることを特徴とする請求項１から請求項３のいずれか一項に記載の照明装置。
【請求項５】
前記器具本体は、前記光源ユニットの側方と対向する側面部を有し、
前記配光制御部材は、前記光源ユニットと前記側面部との間に挿し込まれることを特徴とする請求項１から請求項４のいずれか一項に記載の照明装置。
【発明の詳細な説明】
【技術分野】
【０００１】
本発明は、配光制御部材を備える照明装置に関するものである。
【背景技術】
【０００２】
従来より、天井などの被取付部に取り付けられる照明装置において、一面が開口した箱形状をした器具本体と、この開口に取りつけられる配光制御部材を備えたものがある。
【０００３】
例えば、器具本体に配光制御部材を引っ掛ける為の爪部が形成されている照明装置がある。この照明器具は、配光制御部材を器具本体の爪部に引っ掛けていることで、配光制御部材を固定している（特許文献１に記載。）。
【先行技術文献】
【特許文献】
【０００４】
【特許文献１】特開２０１７-１１７７３５号公報
【発明の概要】
【発明が解決しようとする課題】
【０００５】
しかしながら、特許文献１に記載されている照明器具は、配光制御部材の一端側を器具本体の爪部に引っ掛けした後に、配光制御部材の一端側を中心として他端側を回動させ、配光制御部材の他端側を回動させた後に器具本体の爪部に配光制御部材の他端側を引っ掛けしなくてはならない。このように、取り付け作業が複雑であり、施工性が良くなかった。
【０００６】
そこで、本発明は、上記のような課題を解決する為になされたもので、配光制御部を容易に取り付けられるようにして、施工性を向上させた照明装置を提供することを目的とする。
【課題を解決するための手段】
【０００７】
本発明における照明装置は、発光部を覆うカバーを備えた光源ユニットと、前記光源ユニットが取り付けられる器具本体と、前記カバーと交差するように設けられた制御片、前記制御片が取り付けられる枠部を有し、前記器具本体に取り付けられる配光制御部と、を備え、前記配光制御部は、前記器具本体と係合してない状態から、前記器具本体側へ押し込むことで前記器具本体に固定されることを特徴とするものである。
【発明の効果】
【０００８】
本発明によれば、配光制御部を容易に取り付けることができ、施工性を向上させることができる。
【図面の簡単な説明】
【０００９】
【図１】実施の形態１における照明装置の斜視図である。
【図２】実施の形態１における照明装置の分解斜視図である。
【図３】実施の形態１における光源ユニットの分解斜視図である。
【図４】実施の形態１における光源ユニットの平面図である。
【図５】実施の形態１における引掛け金具の斜視図である。
【図６】実施の形態１における連結金具の斜視図である。
【図７】実施の形態１における照明器具の斜視図である。
【図８】実施の形態１における受け金具の斜視図である。
【図９】実施の形態１におけるバネの斜視図である。
【図１０】実施の形態１における配光制御部の斜視図である。
【図１１】実施の形態１における配光制御部のＡ−Ａ′断面図である。
【図１２】実施の形態１における配光制御部のＢ部詳細図である。
【図１３】実施の形態１における照明装置の取付工程図である。
【図１４】実施の形態１における固定具の取付工程図である。
【発明を実施するための形態】
【００１０】
実施の形態１.
本発明に係る実施の形態として、天井などに設けられた取付け用開口に、埋め込まれるように取り付けられる照明装置１について説明する。
以下の説明において、図１に示すように、照明装置１が床面などの被照射部に向かって照射する方向を照明装置１の下方向Ｚ１として、下方向Ｚ１と反対側を上向Ｚ２として説明する。
図１および図２を参照して照明装置１の各部の構成を説明する。図１は本実施の形態における照明装置１の斜視図である。図２は図１に示す照明装置１の分解斜視図である。
【００１１】
照明装置１は、光源ユニット１００と、照明器具２００と、配光制御部１０００とを備える。光源ユニット１００および配光制御部１０００は、照明器具２００に着脱自在に取り付けられる。照明器具２００は、固定具により被取付部に取り付けられる。
【００１２】
図３から図６を参照して、光源ユニット１００の各部の構成を説明する。図３は図２に示す光源ユニット１００の分解斜視図である。図４は図２に示す光源ユニット１００の上向Ｚ２側からみた平面図である。図５は図３に示す引掛け金具３２０の斜視図である。図６は図３に示す連結金具３３０の斜視図である。
光源ユニット１００は、発光部１１０と、フレーム１２０と、カバー１３０を備えている。
【００１３】
発光部１１０は、複数の発光素子１１１と、複数の発光素子１１１が実装される基板１１２とを有している。基板１１２は、略正方形状であり、発光素子１１１が等間隔で実装されている。発光部１１０は、フレーム１２０に４つ取り付けられている。
なお、発光部１１０を大きく構成して１つにしても良く、４つ以上に細かく分割しても良い。発光素子１１１は、表面実装タイプのＬＥＤ素子であるが、ＣＯＢ型発光モジュール、有機ＥＬでも良い。基板１１２は、正方形状のものに限らず、長方形状又はその他の形状に形成されたものが並べられても良い。
【００１４】
フレーム１２０は、発光部１１０が取り付けられる。フレーム１２０は、発光部１１０が取り付けられるフレーム取付部１２１と、フレーム取付部３２１の外周に設けられたカバー受部１２２とを有している。
フレーム取付部１２１は、略正方形であり板状に形成されている。フレーム取付部１２１は、板状の一方の面が発光部１１０が取り付けられる発光部取付面１２１ａであり、他方の面が取付部背面１２１ｂである。
【００１５】
カバー１３０は、一面が開口した箱形状をしており、発光部１１０を覆うようにフレーム１２０に取り付けられる。カバー１３０は、開口と対向する略正方形状をしたカバー正面部１３１と、カバー正面部１３１の側辺から開口に向って突設するカバー側面部１３２とを有している。カバー１３０は、カバー側面部１３２の開口側端部がフレーム１２０のカバー受部１２２に挿し込まれて、フレーム１２０に固定される。
【００１６】
光源ユニット１００は、フレーム１２０の取付部背面１２１ｂに、一対の点灯装置３１０、一対の引掛け金具３２０、一対の連結金具３３０が設置されている。
点灯装置３１０は、中央付近に長手方向の側面が対向する状態で、間隔を設けて２つ並行するように設置されている。引っ掛け金具３２０は、点灯装置３１０の長手方向の一端側において、一対の点灯装置３１０を挟むように２つ設置されている。連結金具３３０は、点灯装置３１０の長手方向の他端側において、一対の点灯装置３１０を挟むように２つ設置されている。
【００１７】
点灯装置３１０は、照明装置１の外部より商用電源からの電力供給を受け、発光部１１０に電力を供給する。点灯装置３１０は、図示しない電源回路が内蔵され長尺形状をした点灯装置本体部３１１と、商用電源からの電力供給を受ける為の点灯装置接続部３１２を備えている。点灯装置接続部３１２は、点灯装置電線３１２ａと、点灯装置電線３１２ａの先端に設けられた電源コネクタ３１２ｂとを備えている。
【００１８】
引掛け金具３２０が、光源ユニット１００を照明器具２００に取り付けする取付機構の１つである。引っ掛け金具３２０は、図５に示すように、フレーム取付部１２１の取付部背面１２１ｂに固定される引掛け金具固定部３２１と、引掛け金具固定部３２１の端部に設けられた引掛け部３２２を有している。
【００１９】
連結金具３３０は略Ｌ形状であり、光源ユニット１００を照明器具２００に取り付けする取付機構の１つである。連結金具３３０は図６に示すように、フレーム取付部１２１の取付部背面１２１ｂに固定される連結金具固定部３３１と、連結金具固定部３３１に略垂直に設けられる連結金具連結部３３２とを備えている。連結金具連結部３３２は、角状に開口された連結用開口３３２ａを有している。
【００２０】
以上が光源ユニット１００の構成であり、次に、この光源ユニット１００が装着される照明器具２００の各部の構成を図７を用いて説明する。図７は図２に示す照明器具２００の斜視図である。
【００２１】
照明器具２００は、器具本体２１０と、端子台３４０と、一対の受け金具３５０、一対のバネ３６０とを有している。器具本体２１０は、固定具により被取付部に取り付けられる。端子台３４０と、一対の受け金具３５０、一対のバネ３６０は、器具本本体２１０の内部に収容される。
【００２２】
器具本体２１０は、一面が開口した略箱形状をしており、略正方形の板状をした本体面２１１と、本体面２１１の側辺から突設した４つの本体側面２１２とを備えている。
【００２３】
本体面２１１には、照明装置１の外部から電線を引き込む電線孔２１１ａと、器具本体２１０を被取付部に固定する為の固定具が挿通される取付孔２１１ｂが形成されている。
本体面２１１は、端子台３４０と、一対の受け金具３５０、一対のバネ３６０、化粧枠固定金具２１５が配設されている。
端子台３４０は本体面２１１の中央付近に電源孔２１１ａと隣接して設置されている。受け金具３５０は、本体面２１１のいずれかの一辺側に寄った状態で、間隔を設け２つ設置されている。バネ３６０は、本体面２１１の受け金具３５０が寄っている側辺と対向する側辺に寄った状態で、間隔を設け２つ設置されている。
【００２４】
本体側面２１２は、第一側面２１２ａと、第二側面２１２ｂと受け部２１２ｃとを有している。本体側面２１２は、本体面２１１側に第一側面２１２ａが設けられ、本体面２１１と対向する開口側に第二側面２１２ｂが設けられており、この第一側面２１２ａと第二側面２１２ｂを繋げるように受け部２１２ｃが設けられている。
本体側面２１２は、対抗する第二側面２１２ｂの距離が対抗する第一側面２１２ａの距離よりも大きくなるように形成されている。この第一側面２１２ａの端部と第二側面２１２ｂの端部の間に受け部２１２ｃが形成されている。受け部２１２ｃは、第一側面２１２ａと第二側面２１２ｂに対して垂直に形成されている。
受け部２１２ｃは、光源ユニット１００が取り付けられた状態において、光源ユニット１００が本体面２１１と間隔を設けるように、光源ユニット１００と当接する。また、受け部２１２ｃには、配光制御部３００を保持する為の矩形上に形成された固定穴２１２ｄが形成されている。
なお、照明器具２００に光源ユニット１００が取り付けられた状態において、光源ユニット１００と第二側面２１２ｂとの間には間隔が設けられている。この間隔は、光源ユニット２００を着脱する為の間隔であり、作業者が着脱するときに光源ユニット２００を保持する為に手を挿し込む為の間隔である。間隔を設けることで、光源ユニット２００を着脱するときの作業性を良くすることができる。
【００２５】
端子台３４０は、被取付部側から本体面部２１１の電源孔２１１ａを介して引き込まれた電源電線が挿し込まれる。
この端子台３４０は、矩形状に形成された端子台本体部３４１と、点灯装置３１０に電気的に接続する端子台接続部３４２とを備える。この端子台接続部３４２は、端子台電線３４２ａと端子台電線３４２ａの先端に設けられた端子台コネクタ３４２ｂを備える。
【００２６】
受け金具３５０は、光源ユニット１００を照明器具２００に取り付けする取付機構の１つであり、引掛け金具３２０と係合する。受け金具３５０は図１０に示すように、器具本体２１０の本体面２１１に固定される受金具固定部３５１と、受け金具固定部３５１の先端に設けられた受け金具爪部３５２とを有している。受け金具爪部３５２は、引掛け金具３２０の引掛け部３２２が引っ掛けられる。
【００２７】
バネ３６０は、光源ユニット１００を照明器具２００に取り付けする取付機構の１つであり、連結金具３３０と係合する。バネ３６０は図１１に示すように、バネ固定部３６１と、バネ円弧部３６２と、バネ先端部３６３が設けられている。バネ固定部３６１は、器具本体２１０の本体面２１１に固定される。バネ円弧部３６２は、円弧形状をしており、一端にバネ先端部３６３が設けられている。バネ先端部３６３は、連結金具３３０の連結用開口３３２ａに引掛けられる。また、バネ３６０は、ステンレス材料や、バネ鋼材などの弾性材料で形成される。
【００２８】
以上が、照明器具２００の構成である。次に、この照明器具２００に光源ユニット２００を覆うように装着される配光制御部材１０００の各部の構成を図１０から図１２を用いて説明する。図１０は図２に示す配光制御部材１０００の上方向Ｚ２かたみた斜視図であり、図１１は図１０に示す配光制御部材１０００のＡ−Ａ′断面図であり、図１２は図１１に示すＢ部詳細図である。
【００２９】
配光制御部材１０００は、光源ユニット１００が出射する光を所定の方向への光を制御するものであり、不快感のある眩しさを抑制するものである。配光制御部材１０００は、グレアを抑制するものである。
配光制御部材１０００は、光源ユニット１００のカバー１３０を覆うように設けられた制御部１１００と、制御部１１００を支持する枠部１２００と、配光制御部材１１００を照明器具２００に固定する固定部１３００とを有している。
配光制御部材１０００は、光源ユニット１００を覆うように照明器具２に挿し込まれ、固定されている。
【００３０】
制御部１１００は、光源ユニット１００のカバー１３０を覆うように設けられており、光源ユニット１００が出射する光を制御するものである。
制御部１１００は、カバー１３０の表面に対して交差するように配設された板状の制御片１１１０を複数有しており、この複数の制御片１１１０が格子状になるように配設されている。制御部１１００は、カバー１３０の表面に対して、例えば垂直になるように配設されている。光源ユニット１００が出射する光は、この格子状に形成された開口から所定の光が出射され、制御片１１１０により、グレアとなる光が抑制されている。
制御片１１１０は、コの字状に形成されており、カバー１３００のカバー正面部１３１と対向する第一制御片１１１１と、カバー側面部１３２とい対向する第二制御片１１１２を有している。この第二制御片１１１２は、カバー側面部１３２と本体側面２１２との間に少なくとも一部が挿し込まれる。
【００３１】
枠部１２００は、複数の制御部１１００が接続されており、複数の制御部１１００を保持しているものである。
枠部１２００は、枠側部１２１０が中央の枠部開口１２１３を形成するようにロの字状に形成されている。枠部１２００は、板形状をした主枠部１２１１と、主枠部１２１１の側辺から制御部１１００側へ突出した枠側面部１２１２を有している。枠部１２００は、枠側面部１２１２を備えていることで、主枠部１２１１の剛性を向上させることができる。
枠部１２００は、器具本体２１０の内側に挿入できる大きさであり、枠部開口１２１３は光源ユニット２００が挿通できる大きさに形成されている。つまり、枠部１２００は光源ユニット２００と器具本体２１０の本体側面２１２の間を塞ぐように、器具本体２１０に配設される。
【００３２】
固定部１３００は、配光制御部１０００を照明器具２００に固定するものであり、枠部１２００に制御部１１００と反対方向へ突出するように配設されている。固定部１３００は、枠部１２００の主枠部１２１１に水平方向へ倒れこまないように立設しているものであり、主枠部１２１１に対して垂直方向へ突出した状態で固定されているものである。
【００３３】
固定部１３００は、図１２に示すように、弾性を有する板材を曲げて形成されており、枠部１２００に固定される支持部１３１０と、器具本体２１０の固定孔２１２ｄに引っ掛かる係合い部１３２０と、固定孔２１２ｄの開口縁を摺動する摺動部１３３０と、摺動部１３３０の先端に設けられた窪み部１３４０とを有する。
支持部１３１０は、平板状であり、枠部１２００の主枠部１２１１に当接して固定されており、固定部１３００が主枠部１２１１に対して垂直になるように保持している。
係合い部１３２０は、支持部１３１０から対に形成され、互い広がるように斜めに突設している。
摺動部１３３０は、対に形成された係合い部１３２０の端部それぞれから、互いに近づくように支持部１３１０と反対側へ突出している。
窪み部１３４０は、対に形成された摺動部１３３０のそれぞれの端部を接続するものであり、摺動部１３３０の先端から支持部１３１０側へ突設したものである。
固定部１３００は、窪み部１３４０を設けることで、対になる摺動部１３３０の先端を直接接続させなくて良く、対になる摺動部１３３０は先端が直接接続しないことで固定孔２１２ｄの開口縁を摺動するときに互いに突っ張ることを抑制し、近づくように変形しやすくなる。
【００３４】
以上が照明装置１の各部の構成である。次に、図１３および図１４を参照して本発明による照明装置１の被取付部１０へ取り付けする方法の概要を説明する。
図１３において、
（ａ）は、照明器具２００が被取付部に取り付けられる前の状態を示す。
（ｂ）は、照明器具２００に光源ユニット１００が引っ掛けられた状態を示す。
（ｃ）は、照明器具２００に光源ユニット１００が取り付けられた状態を示す。
（ｄ）は、照明器具２００に配光制御部材１０００が挿し込まれた状態を示す。
（ｅ）は、照明器具２００に配光制御部材１０００が取り付けられた状態を示す。
また、図１４において、
（ａ）は、固定部１３００が固定孔２１２ｄに挿し込まれる前の状態を示す。
（ｂ）は、固定部１３００が固定孔２１２ｄに挿し込まれた状態を示す。
（ｃ）は、固定部１３００が固定孔２１２ｄに係合している状態を示す。
【００３５】
はじめに、図１３の（ａ）に示すように、作業者は、被取付部１０に設けられた取付用開口に、照明器具２００を挿し込むように固定する。このとき、被取付部１０側からを器具本体２１０の電源孔２１１ａを介して電源電線３０を引き込み、電源電線を端子台３４０に挿し込みをする。
【００３６】
次に、図１３の（ｂ）に示すように、作業者は、光源ユニット１００の引掛け金具３２０の引掛け部３２２を照明器具２００の受け金具３５０の受け金具爪部３５２に引っ掛ける。更に、照明器具２００のバネ３６０のバネ円弧部３６２を弾性変形させ、バネ先端部３６３を連結金具３３０の連結用開口３３２ａに引っ掛けをする。
なお、このとき端子台３４０の端子台コネクタ３４２ｂと、点灯装置３1０の点灯装置コネクタ３１２ｂを接続する。
【００３７】
次に、図１３の（ｃ）に示すように、作業者は、光源ユニット１００を照明器具２００に向って押し込むことで、バネ１２０のバネ円弧部３６２の弾性変形は解除され、バネ１２０の復元力により光源ユニット１００は器具本体２００に引き込む。このとき、光源ユニット１００は、フレーム１２０の受部底面１２２ｂが器具本体２１０の受け部２１２ｃに当接し、照明器具２００に固定される。
【００３８】
次に、図１３の（ｄ）に示すように、作業者は、配光制御部１０００を照明器具２００に挿し込みをする。配光制御部１０００は、枠部１２００の枠部開口に光源ユニット２００が介在するように、照明器具２００に挿し込みをする。
このとき、制御部１１００の第一制御片１１１１を保持し押し込むことで、第二制御片１１１２が光源ユニット２００と第二側面２１２ｂとの間に挿し込まれ、固定部１３００が固定孔２１２ｄに挿し込まれる。
【００３９】
次に、図１３の（ｅ）に示すように、作業者は、配光制御部１０００を固定部１３００が固定孔２１２ｄと係合するまで押し込みをする。
固定部１３００は、図１４の（ａ）に示すように固定孔２１２ｄに挿し込みされる前の状態から、図１４の（ｂ）に示すように固定孔２１２ｄに挿し込むことで、摺動部１３３０が固定孔２１２ｄの開口縁を摺動し、固定部１３００は弾性変形しながら固定孔２１２ｄに挿し込まれる。
そして、図１４の（ｃ）に示すように固定部１３００が固定孔２１２ｄに挿し込まれることで弾性変形が解除され、固定部１３００が固定孔２１２ｄに引っ掛かり、配光制御部材１０００は照明器具２００に固定される。
なお、配光制御部１０００および光源ユニット１００を照明器具２００から取り外す方法は図１３で述べた取り付け方法と逆の方法で取り外すことができる。
【００４０】
以上が照明装置１の被取付部１０への取り付け方法である。次に、照明装置１の部材の配置に関して、図１３の（ｅ）を用いて説明を行なう。
照明装置１は、光源ユニット１００が器具本体２００に取り付けされた状態において、光源ユニット１００と本体面２１１との間に、点灯装置３１０、引掛け金具３２０、連結金具３３０、端子台３４０、受け金具３５０、バネ３６０が配置されている。これらの部品は、光源ユニット１００と照明器具２００を連結する連結部材３００である。点灯装置３１０と端子台３４０は、光源ユニット１００と照明器具２００とを電気的に連結する連結部材３００である。引掛け金具３２０、連結金具３３０、受け金具３５０、バネ３６０は、光源ユニット１００と照明器具２００を構造的に連結する連結部材である。
照明装置１は、これらの連結部材３００を、光源ユニット１００のフレーム１２０と、照明器具２００の本体面２１１と、第一側面２１２ａに囲まれた空間に収容する。また、照明装置１は、照明器具２００の受部２１２ｃと、第二側面２１２ｂと、光源ユニット２００に囲まれた空間に配光制御部１０００が収容される。
【００４１】
本実施の形態は、照明装置１は、一面が開口した箱形状の器具本体２００と、この器具本体２００に取り付けられる光源ユニット１００と、この光源ユニット１００を覆うように取り付けられる配光制御部１０００を備えている。
この照明装置１は、配光制御部１０００が器具本体２００側へ立設した固定部１３００を有しており、配光制御部１０００を器具本体２００に挿し込むと、固定部１３００が器具本体２００の固定孔２１２ｄに係合して、配光制御部１０００が器具本体２００に固定される。このように、少ない作業工数で配光制御部１０００を取り付けすることができ、施工性を向上させたものである。
【００４２】
また、本実施の形態は、固定部１３００が主枠部１２１１から器具本体２００側に立設しているとともに、固定部１３００は器具本体２００の固定孔２１２ｄに押しこまれると固定孔２１２での開口縁を摺動して弾性変形するように形成されている。よって、照明装置１は配光制御部１０００を照明器具２００に固定するときに、作業者は固定部１３００を窄めるなど手で規制しなくて良く、容易に取り付けすることができるものであり、施工性を向上させたものである。さらに、この照明装置１は、作業者が、配光制御部１０００を取り付けするときに器具本体２１０内側に手をいれなくて良いので、作業者が施工時に手を挟むことも抑制され、安全性も向上することができる。
【００４３】
また、本実施の形態は、配光制御部１０００が、光源ユニット１００と器具本体２００の間に挿し込めるように形成された第二制御片１１１２を有している。よって、
作業者は、光源ユニット１００と器具本体２００の間に手を挿し込むことなく、配光制御部材１０００を器具本体２００に押し込むだけで固定することができ、容易に取り付けすることができる。さらに、この照明装置１は、作業者が、配光制御部１０００を取り付けするときに器具本体２１０内側に手をいれなくて良いので、作業者が施工時に手を挟むことも抑制され、安全性も向上することができる。
【００４４】
また、本実施の形態は、照明装置１は、光源ユニット１００が器具本体２００に取り付けされた状態において、連結部材３００を光源ユニット１００のフレーム１２０と本体面２１１および第一側面２１２ａに囲まれた空間に収容し、固定孔２１２ｄが設けられた受け部２１２ｃをこの空間の外側に形成している。よって、配光制御部１０００を照明器具２００に取り付けするときに、配光制御部１０００が連結部材３００と干渉するのを防ぐができ、部品の損傷を抑制することができる。
【００４５】
また、また、本実施の形態は、照明装置１は、制御片１１１０が、カバー１３０と交差するように設けられていることで、配光制御部１０００は保持しやすく施工性が向上する。制御片１１１０を保持できることで、作業者が、配光制御部１０００を取り付けするときに器具本体２１０内側に手をいれなくて良いので、作業者が施工時に手を挟むことも抑制され、安全性も向上することができる。
【００４６】
また、本実施の形態は、連結部材３００は、光源ユニット１００に点灯装置３１０、引掛け金具３２０、連結金具３３０が配設され、照明器具２００に端子台３４０、受け金具３５０、バネ３６０が配設されている形態に関して説明を行なったが、光源ユニット１００に受け金具３５０、バネ３６０が配設され、照明器具２００に点灯装置３１０、引掛け金具３２０、連結金具３３０、端子台３４０が配設されているようにしても良い。また、連結部材３００は、全てを備えてない構成でも良い。例えば、端子台３４０を備えてなく、器具本体２１０の電源孔２１１ｂから引き込まれた電源電線が点灯装置３１０の接続されるようにしても良い。
【００４７】
また、本実施の形態は、光源ユニット１００と照明器具２００に構造的に連結させるものとして引掛け金具３２０、連結金具３３０、受け金具３５０、バネ３６０に関して説明したが、構造的に連結できるものであれが異なる形状の連結部材でも良い。例えば、連結金具３３０とバネ３６０だけで連結するようにしても良く、光源ユニット１００側にＶ形状をしたバネを設けるとともに器具本体２１０に開口を設け、Ｖ形状をしたバネが器具本体２１０の開口に係合するようにしても良い。
また、光源ユニット１００は、照明器具２００にネジなどにより取り付けられて、工具などにより外すように固定されたものでも良い。
【００４８】
また、本実施の形態は、光源ユニット１００は下方向Ｚ１側からの平面図において略正方形状に形成しているが、長方形状に形成しても良く、円形状にしても良い。また、照明器具２００も長方形状に形成しても良く、円形状にしても良い。
【００４９】
また、本実施の形態は、光源ユニット１００が、一面が開口した箱形状のカバー１３０と、カバー１３０の開口を塞ぐように設けられたフレーム１２０に関して説明を行なったが、フレーム１２０を一面が開口した箱形状に設け、カバー１３０の開口を塞ぐような板状に形成した光源ユニットでもよい。
【００５０】
また、実施の形態１において、被取付部に設けられた取付用開口に埋め込まれるように取り付けられる照明装置について説明したが、被取付部に埋め込まれるように取り付けられる形状にかぎらず、被取付部に直接取り付けられる形状でもよく、照明装置であれば、その形状は限定されない。例えば、被取付部に直接取り付けられる照明装置であって、器具本体が第二側面部を有しておらず、カバー側面部および第二制御片が露見するような形状でもよい。
【００５１】
また、実施の形態１において、固定部１３００は板材を曲げて形成した説明をしたが、主枠部１２１１に垂直に立ち上がった状態で固定されている形状であれば線材により形成しても良い。
【００５２】
また、実施の形態１において、配光制御部１０００は、固定部１３００を枠部１２００に４つ配設しているが、配光制御部１０００を照明器具２００に取り付けできるのであれば配設する個数は４つでなくても良い。例えば、対になるように２つ設けるだけでも良く、１つの主枠部１２１０に複数の固定部１３００を配設して、配光制御部１０００が４つ以上の固定部１３００を有しても良い。
【００５３】
また、実施の形態１において、配光制御部１０００は、制御部１１００は、制御片１１１０を二方向に併設させて格子状になるように形成しているが、グレアを抑制できるのであれば格子状に配設しなくても良い。例えば、制御片１１１０を一方向に併設させるだけでも良く、三方向に併設するように制御片１１１０を設けても良い。
【００５４】
また、照明装置１の連結部品３００として、調光制御装置や、無線ユニットなどの機能部品を用いても良い。
【符号の説明】
【００５５】
１  照明装置、１０  被取付部、２０  固定具、２１  ナット、３０  電源電線、１００  光源ユニット、１１０  発光部、１１１  発光素子、１１２  基板、１２０  フレーム、１２１  フレーム取付部、１２１ａ  発光部取付面、１２１ｂ  取付部背面、１２２  カバー受部、１３０  カバー、１３１  カバー正面部、１３２  カバー側面部、２００  照明器具、２１０  器具本体、２１１  本体面、２１１ａ  電源孔、２１１ｂ  取付孔、２１２  本体側面、２１２ａ  第一側面、２１２ｂ  第二側面、２１２ｃ  受け部、２１２ｄ  固定孔、３００  連結部材、３１０  点灯装置、３１１  点灯装置本体部、３１２  点灯装置接続部、３１２ａ  点灯装置電線、３１２ｂ  点灯装置コネクタ、３２０  引掛け金具、３２１  引掛け金具固定部、３２２  引掛け部、３３０  連結金具、３３１  連結金具固定部、３３２  連結金具連結部、３３２ａ  連結用開口、３４０  端子台、３４１  端子台本体部、３４２  端子台接続部、３４２ａ  端子台電線、３４２ｂ  端子台コネクタ、３５０  受け金具、３５１  受け金具固定部、３５２  受け金具爪部、３６０  バネ、３６１  バネ固定部、３６２  バネ円弧部、３６３  バネ先端部、１０００  配光制御部、１１００  制御部、１１１０  制御片、１１１１  第一制御片、１１１２  第二制御片、１２００  枠部、１２１０枠側部、１２１１  主枠部、１２１２  枠側面部、１２１３  枠部開口、１３００  固定部、１３１０  支持部、１３２０  係合い部、１３３０  摺動部、１３４０  窪み部。
【図１】
2019175572.tif 000003
【図２】
2019175572.tif 000004
【図３】
2019175572.tif 000005
【図４】
2019175572.tif 000006
【図５】
2019175572.tif 000007
【図６】
2019175572.tif 000008
【図７】
2019175572.tif 000009
【図８】
2019175572.tif 000010
【図９】
2019175572.tif 000011
【図１０】
2019175572.tif 000012
【図１１】
2019175572.tif 000013
【図１２】
2019175572.tif 000014
【図１３】
2019175572.tif 000015
【図１４】
2019175572.tif 000016